(57)【要約】  【課題】  反射シートを固定して製作する鏡において、鏡に映し出される像の歪みを小さくすることを課題とする。  【解決手段】  本発明の鏡１は、変形可能な反射シート１０と、第１枠部材１１ａと第２枠部材１１ｂとが設けられた枠部材１１と、面ファスナーである取付手段１３を有しており、取付手段１３によって反射シート１０が枠部材１１に取り付けられる。第１枠部材１１ａと第２枠部材１１ｂとを離反させて反射シート１０を略平面状とする。【選択図】  図１
2006116132.tif 000002
【特許請求の範囲】
【請求項１】
反射シート、枠部材及び取付手段を有し、前記反射シートは少なくとも一方の面に反射面が設けられている所定の厚みを有する変形可能なシートであり、
前記枠部材は、第１取付面を有する第１枠部材と、第２取付面を有する第２枠部材を有し、第１取付面と第２取付面とは略同一平面上となるように配置され、第１取付面と第２取付面とが前記平面上に沿って接近・離反するように前記第１枠部材と前記第２枠部材とが相対移動が可能であり、
前記取付手段は面ファスナーであって、第１取付面及び第２取付面に設けられた枠側連結部と、反射シートに設けられた２ヵ所のシート側連結部とからなり、枠側連結部とシート側連結部とを合わせることにより反射シートを枠部材に取り付けることができるものであり、反射シートを取り付けた状態で第１取付面と第２取付面とを離反させて反射シートを略平面状に広げることが可能であることを特徴とする鏡。
【請求項２】
枠部材は、設置状態で上下に位置する２ヵ所の横部と左右２カ所の縦部とが設けられている長方形状の垂直枠と、前記垂直枠の下方に設けられて前記垂直枠を支える足部とを有し、一方の縦部は第１枠部材の一部分であって第１取付面が設けられ、他方の縦部は第２枠部材の一部分であって第２取付面が設けられ、２ヵ所の横部は第１枠部材と第２枠部材とが連結して形成されるものであって伸縮可能であり、前記足部は第１枠部材及び第２枠部材の両方に設けられていること特徴とする請求項１に記載の鏡。
【請求項３】
第１枠部材及び第２枠部材のいずれか一方には挿入棒が設けられ、他方には前記挿入棒を挿入することができる穴部が設けられており、挿入棒を穴部に挿入して第１枠部材と第２枠部材との連結を行うものであり、前記挿入棒の挿入量を変更することにより横部を伸縮するものであることを特徴とする請求項２に記載の鏡。
【請求項４】
固定ネジが設けられ、固定ネジは挿入棒を挿入することができる穴部に貫通するネジ穴に螺合しているものであり、固定ネジを穴部を挿入棒の挿入方向に対して横断する方向に進入させることにより穴部に挿入された挿入棒の移動を阻止することが可能であることを特徴とする請求項３に記載の鏡。
【請求項５】
反射シートを枠部材に取り付けた状態で、横部の長さを調節することができる調整手段を有し、前記調整手段には、調整ネジ、第１板部及び第２板部が設けられ、第１板部は第１枠部材に固定され、第２板部は第２枠部材に固定され、前記調整ネジは、第１板部及び第２板部のいずれか一方の板部に設けられたネジ穴に螺合して、調整ネジを回転させることによって他方の板部を押すことができることを特徴とする請求項２〜４のいずれかに記載の鏡。
【請求項６】
押さえ部材を有し、前記押さえ部材は、下側の横部及び足部の少なくとも一方を押さえ、押さえられた下側の横部又は足部が上方へ移動することを阻止するものであることを特徴とする請求項２〜５のいずれかに記載の鏡。
【請求項７】
反射シートは長方形状であって、一対の長辺及び一対の短辺を有し、シート側連結部は一対の長辺に設けられていることを特徴とする請求項１〜６のいずれかに記載の鏡。
【請求項８】
反射シートは固定されない状態で一定の方向に湾曲しており、取付手段の第１取付面と第２取付面とを離反させると、取付手段に取り付けられた反射シートの湾曲が矯正される方向に伸ばされることを特徴とする請求項１〜７のいずれかに記載の鏡。
【請求項９】
垂直枠に任意の位置で固定可能な固定部と前記固定部と連結されているひも部を有するマーキング部材を用い、反射面上の任意の場所にひも部を配置することが可能であることを特徴とする請求項１〜８のいずれかに記載の鏡。
【請求項１０】
反射シートは、透明樹脂層、反射層及び保護樹脂層が設けられた積層体であり、前記反射層は透明樹脂層と保護樹脂層との間に設けられていることを特徴とする請求項１〜９のいずれかに記載の鏡。
【発明の詳細な説明】
【技術分野】
【０００１】
本発明は、自分の姿など見るときに用いる鏡に関するものである。
【背景技術】
【０００２】
鏡は、自分自身を見る場合や、直接見ることのできない場所を見る場合などに用いられている。通常の鏡は、透明なガラスに銀めっきなどの反射層を形成し、反射層の裏側に合成樹脂塗料などの保護層を形成したものが用いられている。
【０００３】
また、ガラスの代わりにポリカーボネートやアクリルなどの透明樹脂を用い、これに反射層及び保護層を形成して、光（特に可視光）を反射することができるシートが開発されている。そして、このようなシートは特許文献１などに開示されている。
【０００４】
このように透明樹脂シートに反射層を形成した反射シートはそれ自体が変形容易であるので、これを用いて鏡とするには何らかの方法で固定することが必要である。
そして、特許文献１には、このようなシートを平滑面に密着させて使用する方法が記載されている。
【特許文献１】特開平０７−３１４５９５号公報
【発明の開示】
【発明が解決しようとする課題】
【０００５】
上記のような透明樹脂シートに反射層を形成した反射シートは、ガラス製の鏡に比べて、衝撃が加わっても割れないのでより安全である。そのため、透明樹脂を用いた鏡を用いた場合には、破損しにくく、また、ガラスのように破片で怪我をすることが無く安全である。
例えば、野球選手やゴルフ選手などのスポーツ選手のフォームの確認した場合、バットやクラブが鏡に当たっても鏡が割れにくく、割れた破片で怪我のおそれもない。
【０００６】
一般に、鏡の表面に湾曲部分があると鏡像（鏡に映し出される像）は歪み、実物とは異なるように見える。そして、鏡の表面が凸状となると鏡像は大きく見え、凹状となると鏡像は小さく見えたり、二重に見えたりする。したがって、上記のように姿見として用いる場合、できるだけ平面状であることが望ましい。
また、完全に凹凸が無い状態とすることができなくても、できるだけ湾曲が小さく（曲率半径が大きく）し、その領域を少なくすることが望ましい。
【０００７】
一方で、上記のような反射シートは、透明樹脂にアルミなどを蒸着し、この上に塩化ビニル製のシートなどを積層して加熱しながらプレスして製造したり、また、塩化ビニルなどのシートの上にアルミなどを蒸着し、この上に透明樹脂を積層して製造される。
また、積層の方法としては、加熱した状態で圧縮する方法が用いられ、所定の大きさに切断した状態で圧縮する方法や、連続的に圧縮する方法があり、さらに、連続的に圧縮する方法では、ロールなどに巻き取ったり、積層されたものを巻き取らないで所定の長さに切断する方法がある。
【０００８】
そのため、シートの成形時の巻き取る際に発生する巻き癖や、加熱しながら積層する場合に冷却後に発生する熱収縮の差により発生するなどの理由により、シートが湾曲してしまう。このため、透明樹脂シートに反射層を形成したシートを用いた鏡では、シートの湾曲の発生を完全に防止することが難しく、鏡像を実物に近づけるためには、全体的に平面状となるように保持する必要があった。
【０００９】
人の全体について映し出せるような鏡では、反射面を大きな面積とする必要があり、必然的に反射シートの面積も大きくしなければならない。そのため、特許文献１に示されるような、平板に反射シートを貼り付けて反射シートを固定する方法では、貼り付けの際にしわが発生しやすい。そのため、平面状に貼り付けることが難しく、固定作業に熟練を要するものであった。
【００１０】
また、平板に反射シートを貼り付ける方法では、用いられる平板は、平板自体の変形を防止する必要があり、ある程度剛性を持った部材とする必要がある。そのため、この方法では全体の重量が増加して持ち運びに不便である。
【００１１】
さらに、反射シートの縁を固定し、反射シートの両側を引っ張ることにより、反射シートを平面状とすることが考えられる。しかし、単に、引っ張るだけでは、図１１に示される鏡１０１のように、固定部材１００に固定された部分と、固定されていない部分の境界付近が、周辺に比べて変形しやすくなる。
【００１２】
さらに具体的に説明すると、固定部材１００に固定される部分の反射シート１０は、固定部材１００に拘束されるため、反射シート１０は固定部材１００の固定面に沿った状態となる。一方、固定部材１００に固定されない部分は、反射シート１０の曲がり癖、引っ張りの強さなどの条件によって反射シート１０の湾曲状態が決まる。そして、反射シート１０の固定される部分と固定されない部分の境界部分１０５で、反射シート１０の面の向きが大きく変化する場合があった。
【００１３】
そして、図１２（ａ）に示されるように、反射シート１０の全体の湾曲状態が反射面１０ａ側が凸状となっている場合に、境界部分１０５が凹状となり、湾曲状態が部位によって異なる状態となり、特に境界部分１０５で鏡像がひずんでしまう。
【００１４】
そこで、本発明は、反射シートを固定して製作するものであり、鏡像の歪みの少ない鏡を提供することを課題とする。
【課題を解決するための手段】
【００１５】
上記した目的を達成すべく提供される請求項１に記載の発明は、反射シート、枠部材及び取付手段を有し、前記反射シートは少なくとも一方の面に反射面が設けられている所定の厚みを有する変形可能なシートであり、前記枠部材は、第１取付面を有する第１枠部材と、第２取付面を有する第２枠部材を有し、第１取付面と第２取付面とは略同一平面上となるように配置され、第１取付面と第２取付面とが前記平面上に沿って接近・離反するように前記第１枠部材と前記第２枠部材とが相対移動が可能であり、前記取付手段は面ファスナーであって、第１取付面及び第２取付面に設けられた枠側連結部と、反射シートに設けられた２ヵ所のシート側連結部とからなり、枠側連結部とシート側連結部とを合わせることにより反射シートを枠部材に取り付けることができるものであり、反射シートを取り付けた状態で第１取付面と第２取付面とを離反させて反射シートを略平面状に広げることが可能であることを特徴とする鏡である。
【００１６】
請求項１に記載の発明によれば、反射面が設けられた変形可能なシートである反射シートを、略同一平面上となるように配置された第１取付面と第２取付面に取り付け、前記平面に沿うように第１取付面と第２取付面とを離反させて反射シートを略平面状に広げることができるので、反射シートが曲げ癖が残るなどして湾曲している場合でも、反射面を略平面状とすることができる。また、この取付に用いる取付手段は面ファスナーであるので、反射シートの取付部分は厚み方向への移動が可能となり、図１２（ｂ）に示されるように、反射シートの湾曲状態を全体的にほぼ同じ状態とすることができる。
【００１７】
請求項２に記載の発明は、枠部材は、設置状態で上下に位置する２ヵ所の横部と左右２カ所の縦部とが設けられている長方形状の垂直枠と、前記垂直枠の下方に設けられて前記垂直枠を支える足部とを有し、一方の縦部は第１枠部材の一部分であって第１取付面が設けられ、他方の縦部は第２枠部材の一部分であって第２取付面が設けられ、２ヵ所の横部は第１枠部材と第２枠部材とが連結して形成されるものであって伸縮可能であり、前記足部は第１枠部材及び第２枠部材の両方に設けられていること特徴とする請求項１に記載の鏡である。
【００１８】
請求項２に記載の鏡は、左右２カ所の縦部を有する長方形状の垂直枠が設けられ、一方の縦部は第１枠部材の一部分であり、他方の縦部は第２枠部材の一部分であるので、第１枠部材と第２枠部材の相対移動の方向は横方向となり、第１枠部材及び第２枠部材のそれぞれに設けられた足部を床の上に置いた状態で連結作業や相対移動を行うことができる。
【００１９】
請求項３に記載の発明は、第１枠部材及び第２枠部材のいずれか一方には挿入棒が設けられ、他方には前記挿入棒を挿入することができる穴部が設けられており、挿入棒を穴部に挿入して第１枠部材と第２枠部材との連結を行うものであり、前記挿入棒の挿入量を変更することにより横部を伸縮するものであることを特徴とする請求項２に記載の鏡である。
【００２０】
請求項３に記載の発明によれば、横部の連結を挿入棒と穴部によって行うので、構造を簡単にすることができ、製作しやすい。
【００２１】
請求項４に記載の発明は、固定ネジが設けられ、固定ネジは挿入棒を挿入することができる穴部に貫通するネジ穴に螺合しているものであり、固定ネジを穴部を挿入棒の挿入方向に対して横断する方向に進入させることにより穴部に挿入された挿入棒の移動を阻止することが可能であることを特徴とする請求項３に記載の鏡である。
【００２２】
請求項４に記載の発明によれば、固定ネジが設けられて、固定ネジを進入させることにより穴部に挿入された挿入棒の移動を阻止することが可能であるので、鏡の使用中に、反射シートがたるみにくい。
【００２３】
請求項５に記載の発明は、反射シートを枠部材に取り付けた状態で、横部の長さを調節することができる調整手段を有し、前記調整手段には、調整ネジ、第１板部及び第２板部が設けられ、第１板部は第１枠部材に固定され、第２板部は第２枠部材に固定され、前記調整ネジは、第１板部及び第２板部のいずれか一方の板部に設けられたネジ穴に螺合して、調整ネジを回転させることによって他方の板部を押すことができることを特徴とする請求項２〜４のいずれかに記載の鏡である。
【００２４】
請求項５に記載の発明によれば、一方の板部に設けられたネジ穴に螺合した調整ネジを用いて他方の板部を押すことができ、第１枠部材に固定された第１板部と、第２枠部材に固定された第２板部との間の距離を長くすることができ、横部の長さを調節を容易に行うことができる。
【００２５】
請求項６に記載の発明は、押さえ部材を有し、前記押さえ部材は、下側の横部及び足部の少なくとも一方を押さえ、押さえられた下側の横部又は足部が上方へ移動することを阻止するものであることを特徴とする請求項２〜５のいずれかに記載の鏡である。
【００２６】
請求項６に記載の発明によれば、横部や足部を押さえて、この押さえられた下側の横部や足部の上方への移動を阻止することができる押さえ部材を有しているので、鏡の転倒が起こりにくい。
【００２７】
請求項７に記載の発明は、反射シートは長方形状であって、一対の長辺及び一対の短辺を有し、シート側連結部は一対の長辺に設けられていることを特徴とする請求項１〜６のいずれかに記載の鏡である。
【００２８】
請求項７に記載の鏡は、シート側連結部は長辺側に設けられているので、短辺にシート側連結部を設ける場合に比べて、シート側連結部同士の間隔を短くすることができ、反射シートを広げやすい。
【００２９】
請求項８に記載の発明は、反射シートは固定されない状態で一定の方向に湾曲しており、取付手段の第１取付面と第２取付面とを離反させると、取付手段に取り付けられた反射シートの湾曲が矯正される方向に伸ばされることを特徴とする請求項１〜７のいずれかに記載の鏡である。
【００３０】
請求項８に記載の発明によれば、取付手段の第１取付面と第２取付面とを離反させると、取付手段に取り付けられた反射シートの湾曲が矯正される方向に伸ばされるので、反射シートの歪みを小さくすることができる。
【００３１】
請求項９に記載の発明は、垂直枠に任意の位置で固定可能な固定部と前記固定部と連結されているひも部を有するマーキング部材を用い、反射面上の任意の場所にひも部を配置することが可能であることを特徴とする請求項１〜８のいずれかに記載の鏡である。
【００３２】
請求項９に記載の発明によれば、マーキング部材によって反射面上の任意の場所にひも部を配置することが可能であるので、使用者は、鏡を見ながらスイングなどの動作を行う場合に、動きを確認しやすい。
【００３３】
請求項１０に記載の発明は、反射シートは、透明樹脂層、反射層及び保護樹脂層が設けられた積層体であり、前記反射層は透明樹脂層と保護樹脂層との間に設けられていることを特徴とする請求項１〜９のいずれかに記載の鏡である。
【００３４】
請求項１０に記載の鏡は、反射シートは、透明樹脂層、反射層及び保護樹脂層が設けられた積層体であり、前記反射層は透明樹脂層と保護樹脂層との間に設けられているので、保護樹脂層によって反射層が保護されて、反射シートが破損しにくい。
【発明の効果】
【００３５】
本発明の鏡によれば、鏡像の歪みが少なく、また、ガラスなどと比べて破損時に安全である。
【発明を実施するための最良の形態】
【００３６】
以下さらに本発明の具体的実施例について説明する。図１は、本発明の第１の実施形態の鏡を示す斜視図である。図２は、シート側連結部が固定されている反射シートを示した斜視図である。図３は反射シートを取り付ける前の状態の、枠部材、取付手段及び反射シートを水平方向に切断した状態を示す断面図である。図４は、反射シートの長辺付近を示した断面斜視図である。図５は、連結した状態の枠部材と、押さえ部材を示した斜視図である。図６は、連結していない状態の枠部材を示した斜視図である。図７は、枠部材の連結部分を拡大した斜視図であり、（ａ）は連結していない状態を示した図、（ｂ）及び（ｃ）は連結した状態を示した図である。図８は、押さえ部材を示した斜視図である。図９は、マーキング部材を用いた状態の鏡の斜視図である。図１０は、マーキング部材を示した斜視図である。図１１は、従来の方法によって固定された反射シートの拡大断面図である。図１２は、反射シートの湾曲状態を示す模式図であり、（ａ）は従来の方法で固定した図、（ｂ）は本発明の実施形態の鏡を示す図である。
【００３７】
本発明の第１の実施形態の鏡１は、図１に示されるように、反射シート１０、枠部材１１、押さえ部材１２及び取付手段１３を有している。そして、反射シート１０には光の反射が可能な反射面１０ａを有しており、反射面１０ａ側（図１における右側）から入射した光を反射することができる。反射シート１０と枠部材１１とは、取付手段１３によって連結されている。
【００３８】
反射シート１０は、図２に示されているように、長方形状のシートであり、２つの長辺５０、５１と、２つの短辺５２、５３を有している。そして、反射面１０ａ側から見て、短辺５３が上側、短辺５２が下側、長辺５０が左側、長辺５１が右側となるように、縦長の状態で設置される。
また、図３に示されるように、反射シート１０は、透明樹脂層２３、反射層２４及び保護樹脂層２５が設けられた積層体であり、変形可能なシートである。そして、本実施形態の反射シート１０は、透明樹脂層２３側の一方の面のみに反射面１０ａが設けられて、反射面１０ａとは反対側の面である裏面１０ｂは、可視光を反射しないものである。なお、両面に反射する面が設けられていても良い。
【００３９】
透明樹脂層２３は、可視光を多く通過することができる透明な樹脂で形成されたシートであり、アクリル系樹脂やポリカーボネート系樹脂などを用いることができる。また、透明樹脂層２３の両面は平滑であり、場所によって入射角や反射角が変化することがなく、鏡像がひずむことがない。
また、反射層２４は、可視光を反射する材料で形成されたものであり、薄い平滑なシートを用いて積層したり、透明樹脂層２３上に蒸着するなどして形成することができる。反射層２４は、アルミニウム、金、銀、銅などの金属を用いることができる。
【００４０】
保護樹脂層２５は、反射層２４の裏側（透明樹脂層２３とは反対側）に設けられる層である。そして、保護樹脂層２５により、外部からの引っ掻きなどによって反射層２４が破損することを防止することができる。
保護樹脂層２５は、樹脂により形成されたシートである。また保護樹脂層２５の材質は特に限定されず、あらゆる樹脂を用いることができる。さらに、保護樹脂層２５は発泡樹脂を採用することができる。
【００４１】
反射シート１０の形成は、公知の技術によって行うことができる。例えば、反射シート１０の透明樹脂層２３を押し出し成形などにより成形し、その上に反射層２４となる金属シートを蒸着などにより形成し、さらに、反射層２４の上に保護樹脂層２５を設けることによって行うことができる。
【００４２】
反射シート１０は連続成形されて長尺状のシートを切断して用いられる。そして、本実施形態では、反射層２４が蒸着された透明樹脂層２３と保護樹脂層２５とを重ねた状態で連続的に加熱しながら圧縮して製造される。そのため、常温に冷却されると、透明樹脂層２３と保護樹脂層２５との熱収縮率の違いにより湾曲が起こる。
本実施形態の透明樹脂層２３はポリエチレンテレフタレートであり、保護樹脂層２５は塩化ビニル樹脂であり、反射シート１０は固定されない状態で透明樹脂層２３が外側となるような状態にやや湾曲している。また、反射シート１０の固定されない状態の湾曲の方向は、短辺５２、５３に延びる方向であり、長辺５０、５１に延びる方向の湾曲は小さい。
また、透明樹脂層２３の厚みは十数μｍであり、保護樹脂層２５の厚みは約２ｍｍであり、特に１ｍｍ〜３ｍｍが望ましい。保護樹脂層２５の厚みが１ｍｍよりも薄いと、後述するように、調整手段４５による調整の際に、面ファスナーの係合に打ち勝って厚み方向へ移動する力が小さくなって取付手段１３付近での鏡像がひずみやすくなりやすい。また、保護樹脂層２５の３ｍｍよりも厚いと、調整手段４５による調整の際に、大きな力が必要となって調整にしにくくなり、鏡１の全体が重くなる。
【００４３】
反射シート１０は、図３に示されるように、透明樹脂層２３、反射層２４、保護樹脂層２５の順で積層されており、透明樹脂層２３側が反射面１０ａとなる。また、反射面１０ａとは反対側の裏面１０ｂには、取付手段１３のシート側連結部２１が設けられて固定されている。
したがって、後述するように、枠部材１１に固定されている枠側連結部２２と、シート側連結部２１とを連結する際に、枠部材１１を裏面１０ｂ側に配置することができ、鏡１を使用する際に、枠部材１１が反射面１０ａの邪魔となることがない。
【００４４】
シート側連結部２１は、反射シート１０の２ヵ所の長辺５０、５１のほぼ全域に設けられている。そのため、取付手段１３によって反射シート１０を枠部材１１に固定した状態で、長辺５０、５１同士の間を離反するように移動させた場合に、反射シート１０全体を均一に広げることができる。また、反射シート１０は、短辺５２、５３方向に巻き取られており、短辺５２、５３に延びる方向が特に湾曲しているが、長辺５０、５１の間隔を広げるので、この湾曲を解消するように伸ばすことができる。
【００４５】
枠部材１１は、図５、図６に示されるように、第１枠部材１１ａと第２枠部材１１ｂとからなり、第１枠部材１１ａと第２枠部材１１ｂとは連結位置を変更可能に連結することができる。第１枠部材１１ａ及び第２枠部材１１ｂは、棒状の部材を接合して製作されている。
【００４６】
また、図５に示されるように、枠部材１１が連結した状態では、垂直枠２７と足部２８が形成される。垂直枠２７は長方形状の枠であり、長辺の縦部３０、３１と短辺の横部３２、３３を有している。
垂直枠２７の枠の大きさは反射シート１０とほぼ同じである。そして、反射シート１０の長辺５０、５１の長さと縦部３０、３１の長さがほぼ同じであり、反射シート１０の短辺５２、５３の長さと横部３２、３３の長さがほぼ同じである。
【００４７】
縦部３０は第１枠部材１１ａの一部であり、縦部３１は第２枠部材１１ｂの一部である。また、横部３２、３３は、いずれも、第１枠部材１１ａの一部と第２枠部材１１ｂの一部とが連結されて形成される。具体的には、下側に配置される横部３２は、第１枠部材１１ａの下側横部３２ａと、第２枠部材１１ｂの下側横部３２ｂにより形成され、上側に配置される横部３３は、第１枠部材１１ａの上側横部３３ａと、第２枠部材１１ｂの上側横部３３ｂにより形成される。
【００４８】
また、縦部３０は第１取付面３０ａを有しており、縦部３１は第２取付面３１ａを有している。そして、第１取付面３０ａ及び第２取付面３１ａには、取付手段１３の枠側連結部２２、２２が接着によって固定されている。
第１取付面３０ａ及び第２取付面３１ａは、反射シート１０が取り付けられる側に設けられており、図６においては右下側である。そして、第１取付面３０ａと第２取付面３１ａとは、同一平面となるように配置している。
【００４９】
第１枠部材１１ａと第２枠部材１１ｂとの連結は、図６、図７に示されるように、第２枠部材１１ｂの下側横部３２ｂや上側横部３３ｂに設けられた挿入棒３６を、第１枠部材１１ａの下側横部３２ａや上側横部３３ａに設けられた穴部３５に挿入することにより行われる。そのため、挿入棒３６の挿入量を変えると、横部３２、３３の長さが変わり、縦部３０と縦部３１との間の距離が変化する。
【００５０】
また、第１枠部材１１ａ及び第２枠部材１１ｂは、枠部材１１の幅方向（縦部３０、３１同士の近接・離反方向）に相対移動可能である。さらに、詳細に説明すると、この相対移動の方向は、縦部３０、３１に垂直な方向であり、第１取付面３０ａ及び第２取付面３１ａの面に沿う方向である。
そのため、この相対移動を行うと、第１取付面３０ａ及び第２取付面３１ａは同一平面上に沿って、接近・離反するように移動する。そして、後述するように、枠部材１１に反射シート１０を取り付けられた状態で、第１取付面３０ａと第２取付面３１ａとの間を広げるように移動させることにより、反射シート１０を枠部材１１（鏡１）の幅方向に伸ばすことができる。
【００５１】
また、図７に示されるように、上側の横部３３には、挿入棒３６の位置を固定することができる固定ネジ４０が設けられており、横部３２、３３には、縦部３０、３１の間隔（横部３２、３３の長さ）を調節することができる調整手段４５が設けられている。
固定ネジ４０は、穴部３５に貫通するネジ穴に螺合しているものである。このネジ穴は挿入棒３６の挿入方向に対して横断する方向に設けられており、固定ネジ４０は挿入棒３６の挿入方向に対して横断する方向に進入させることができる。
そして、固定ネジ４０を進入させて、穴部３５に挿入された挿入棒３６の移動を阻止することができ、また、固定ネジ４０を退出させて、挿入棒３６の移動を可能とすることができる。
【００５２】
調整手段４５は、図７に示されるように、調整ネジ４１、第１板部４２及び第２板部４３が設けられている。第１板部４２は第１枠部材１１ａに固定され、第２板部４３は第２枠部材１１ｂに固定されている。そして、調整ネジ４１は第１板部４２に設けられたネジ穴に螺合しており、調整ネジ４１を回転させることにより、調整ネジ４１の先端部４１ａにより第２板部４３を押すことができるものである。
【００５３】
調整手段４５は、上下の横部に設けられ、第１枠部材１１ａの下側横部３２ａ又は上側横部３３ａと、第２枠部材１１ｂの下側横部３２ｂ又は上側横部３３ｂとを遠ざけて、所定の位置で、接近を阻止することができるものである。
【００５４】
図７（ｂ）に示す様な状態で調整ネジ４１をねじ込むことにより、調整ネジ４１の先端部４１ａによって第２板部４３が押す。そして、第２板部４３が押されると、図７（ｃ）に示すように、第１板部４２と第２板部４３とが離れる方向に相対移動し、横部３２、３３の長さが長くなり、縦部３０、３１同士の間の距離を長くすることができる。
【００５５】
そして、この調整手段４５による調整は、反射シート１０と枠部材１１とを取付手段１３によって連結した状態で行われるものである。そして、反射シート１０が湾曲状態となっている場合などには、これを伸ばすため、ある程度の力を必要とするが、調整ネジ４１を回転させて行うことができるので小さな回転力で作業することができる。
【００５６】
なお、図７は、上側の横部３３について図示したものであるが、下側の横部３２に設けられる調整手段４５の構造は、上側の横部３３の構造を天地を反転させた以外は同様の構造である。そして、下側の横部３２についても、調整ネジ４１を用いて第２板部４３を押して、横部３２を伸ばすことができる。
また、調整ネジ４１は、第１枠部材１１ａに固定された第１板部４２側に設けられているが、第２枠部材１１ｂに固定された第２板部４３側に設けることもできる。
【００５７】
足部２８は、図１に示されるように、棒状であって垂直枠２７の下側に位置している。また、足部２８は２ヵ所の縦部３０、３１の下端に接続し、取付手段１３によって取り付けられた反射シート１０の反射面１０ａ側、及び、裏面１０ｂ側の両側に延びて張り出すように設けられている。すなわち、鏡１には合計４ヵ所の足部２８を有している。足部２８の延びる方向は、縦部３０、３１に対して垂直であり、反射シート１０の反射面１０ａに対して垂直である。また、足部２８は、第１枠部材１１ａ、第２枠部材１１ｂのそれぞれ２本ずつ設けられている。
【００５８】
鏡１を床などに置いて用いる場合には、垂直枠２７の下側に足部２８が位置して、床の上に足部２８が載置された状態で使用される。そして、鏡１に垂直枠２７や反射シート１０が傾くような外力が作用した場合に、足部２８によって、鏡１が倒れることを阻止することができる。
【００５９】
枠部材１１は、一般の鋼材を用いることができ、断面が角状の角パイプを用いることができる。また、縦部３０、３１と、横部３２、３３や足部２８との接合部分は溶接などによって接合することができる。
なお、材料や形状は限定されることなく、他のものも採用することができる。
【００６０】
さらに、それぞれの足部２８の下側には、キャスター２８ａが設けられている。そして、キャスター２８ａによって、反射シート１０や枠部材１１を支えながら、鏡１の移動を容易にすることができる。また、キャスター２８ａは、足部２８の先端付近に設けられている。
【００６１】
押さえ部材１２は、図１、図５、図８に示されているように、足部２８や垂直枠２７に装着されるものであり、鏡１が倒れることをさらに防止することができるものである。
押さえ部材１２は、板部３７、足部フック３８及び横部フック３９を有している。そして、足部フック３８は２カ所設けられて、足部２８に引っかけることができるものであり、横部フック３９は、垂直枠２７の下側に配置している横部３２に引っかけることができるものである。足部フック３８を足部２８に引っかけ、横部フック３９を横部３２に引っかけた状態では、図１に示されるように、板部３７の下側と、キャスター２８ａの下側とがほぼ同じ高さとなる。
【００６２】
そして、足部２８の先端側を支点として回転して鏡１が倒れる場合には、横部３２や足部２８が上昇するが、押さえ部材１２の重みにより、この回転を阻止することができるので、鏡１が倒れにくい。
なお、本実施形態では、図１や図５に示されるように、反射シート１０の反射面１０ａとは反対側の裏面１０ｂ側に２個の押さえ部材１２を設けているが、さらに、反射面１０ａ側にも押さえ部材１２を設けて合計４個とすることができる。
また、押さえ部材１２は、重い方が横部３２や足部２８が上昇を妨げるので望ましく、鋼板などを接合して製作されたものを用いることができる。
【００６３】
取付手段１３は、図３、図４に示されるように、反射シート１０の長辺５０、５１に固定された２ヵ所のシート側連結部２１、２１と、枠部材１１の縦部３０、３１に固定された２ヵ所の枠側連結部２２、２２とからなる。
取付手段１３は、具体的には面ファスナーであり、シート側連結部２１と枠側連結部２２とを合わせることにより連結することができる。そして、反射シート１０が枠部材１１に取り付けられると、反射シート１０、取付手段１３、枠部材１１の順に積層された状態となる。
シート側連結部２１及び枠側連結部２２の構造は、図３、図４に示されている。シート側連結部２１には係止部２１ａと基部２１ｂとが設けられており、枠側連結部２２には係止部２２ａと基部２２ｂとが設けられている。そして、シート側連結部２１の係止部２１ａと枠側連結部２２の係止部２２ａとを合わせるようにして係合することにより、シート側連結部２１と枠側連結部２２とを連結することができる。
【００６４】
取付手段１３は、通常の面ファスナーと同様な構造であり、シート側連結部２１及び枠側連結部２２とを組み合わせて使用される。さらに、具体的には、シート側連結部２１や枠側連結部２２は、布等で構成される基部２１ｂ、２２ｂと、基部２１ｂ、２２ｂの一方の面にループ状の係止部２１ａがフック状の係止部２２ａが設けられたものである。そして、取付手段１３は、係止部２１ａと係止部２２ａとが引っ掛かって係合する。そして、取付手段１３は係止部２１ａ、２２ａの面を基準として、せん断されるように力が働いた場合には強度が高く、また、面ファスナーは剥離されるように力が働くと強度が低く、反射シート１０をめくるように引き離すことにより、容易に取り外すことができる。
【００６５】
また、係止部２１ａ、２２ａはループやフックが厚み方向に変形可能であるので、厚み方向に自由度がある。そして、取付手段１３は、係止部２１ａ、２２ａの面同士の間隔が場所によって異なった状態でも、シート側連結部２１と枠側連結部２２とを連結状態を維持することができる。
そのため、図４に示されるように、係止部２１ａ、２２ａの面同士が平行ではなく傾斜が発生していても、連結部分の強度が高く、シート側連結部２１と枠側連結部２２との連結状態を維持することができる。
【００６６】
シート側連結部２１の基部２１ｂは、反射シート１０の裏面１０ｂ側に固定されており、枠側連結部２２の基部２２ｂは、枠部材１１の縦部３０の第１取付面３０ａ及び縦部３１の第２取付面３１ａに接着により固定されている。これらの固定は、接着剤などを用いて行うことができる。
また、基部２１ｂ、２２ｂは、布などを用いることができる。そして、第１連結部の基部２１ｂは、反射シート１０よりも軟らかく、変形容易であることが望ましい。基部２１ｂが変形困難な硬い素材であると、基部２１ｂ付近の反射シート１０が湾曲しにくくなってしまうが、基部２１ｂが変形容易であるとそのようなことが無く、反射シート１０の基部２１ｂ付近の変形が容易である状態とすることができる。
【００６７】
枠側連結部２２、２２は、縦部３０の第１取付面３０ａ及び縦部３１の第２取付面３１ａのほぼ全域に設けられている。そして、枠側連結部２２の２ヵ所の係止部２２ｂは、同一平面となるように設けられている。
【００６８】
次に、鏡１の組立方法について説明する。
まず、枠部材１１を図６、図７（ａ）に示す状態から、図５、図７（ｂ）に示す状態とする。具体的には、第１枠部材１１ａの２ヵ所の穴部３５に、第２枠部材１１ｂの２ヵ所の挿入棒３６を挿入する。このとき、調整手段４５は、図７（ｂ）に示されるように、調整ネジ４１を引き出した状態として、挿入棒３６をできるだけ挿入し、第１板部４２と第２板部４３との間ができるだけ狭くして、横部３２、３３の長さを短くしておく。
また、固定ネジ４０は穴部３５から退出させておき、挿入棒３６の移動が可能な状態にしておく。
【００６９】
そして、次に、取付手段１３を用いて、反射シート１０を枠部材１１に固定する。このとき、反射シート１０の長辺５０、５１が、枠部材１１の縦部３０、３１に重ねられ、取付手段１３のシート側連結部２１の係止部２１ａと及び枠側連結部２２の係止部２２ａとが一体化する。
また、横部３２、３３の長さは、反射シート１０の短辺５２、５３よりやや短い状態であるので、反射シート１０をややたるませた状態で取り付けを行うことができる。
【００７０】
さらに、調整手段４５を用いて、縦部３０、３１同士の間の距離を長くするよう調整し、反射シート１０を横方向に引っ張る。このとき、取付手段１３は、反射シート１０の長辺５０、５１の全域に設けられているので、全体にむら無く引っ張ることができる。
具体的には、上下２ヵ所の横部３２、３３に設けられている調整ネジ４１を回転させて、第１板部４２と第２板部４３との間の距離を長くすることにより行われる。
【００７１】
そして、反射シート１０が引っ張られて、反射シート１０のたるみがほぼ無くなり、反射シート１０の反射面１０ａは、ほぼ平面状となる。反射シート１０の湾曲状態の確認は、反射面１０ａに映った鏡像を確認しながら、上下２ヵ所の調整手段４５の調整ネジ４１を回転させて行うことができる。
【００７２】
上記調整の後、図７（ｃ）に示すように、また、固定ネジ４０を進入させて挿入棒３６の移動を阻止する状態にする。
さらに、図１に示されるように、押さえ部材１２を足部２８や横部３２に引っかけた状態として、鏡１の組立が完成する。
【００７３】
反射シート１０は、上記のように取付手段１３によって枠部材１１に取り付けられ、調整手段４５によって、ほぼ平面状で保持される。したがって、反射シート１０に曲げ癖などがあっても平面状となる。また、取付手段１３には面ファスナーを用いているので、反射シート１０の端部においても鏡像がひずみにくい。
【００７４】
すなわち、取付手段１３は面ファスナーが用いられているので、反射シート１０が取り付けられる長辺５０、５１付近では、反射シート１０は第１取付面や第２取付面に沿う方向に拘束されることが無く、反射シート１０の他の部分と同様に、厚み方向に自由度がある。
そのため、反射シート１０が枠部材１１に取り付けられた状態で、調整手段４５による調整を行うと、反射シート１０の取付部分（長辺５０、５１付近）の曲面状態は、図１２（ｂ）のように、反射シート１０の全体の曲面状態に応じてなめらかに変化する。すなわち、本実施形態の鏡１の長辺５０、５１の近傍には、図１１や図１２（ａ）に示される鏡１０１の境界部分１０５のような変曲部分が発生しない。
【００７５】
そして、本実施形態の鏡１では、図４に示されるように、反射シート１０の取付部分（長辺５０、５１付近）と、他の部分との間の変形の程度の差が小さくなり、図１１に示されている鏡１０１と比べて、鏡像全体の歪みを小さくすることができる。また、図１２（ｂ）に示されるように、本実施形態の鏡１の反射シート１０は、湾曲状態を全体的にほぼ同じ状態とすることができ、鏡像に歪みが生じない。
【００７６】
なお、図４、図１１、図１２に示す反射シート１０の湾曲状態は実際の湾曲状態よりも大きくして、曲率の変化が明確となるように図示したものであり、実際の反射シート１０の湾曲状態はこれよりも小さい。
【００７７】
また、本実施形態の鏡１では、縦部３０、３１同士の間の距離を長くするよう調整し、反射シート１０を横方向に引っ張るものである。そして、反射シート１０は、固定されない状態で湾曲する方向（短辺５２、５３に延びる方向）に引っ張られ、反射シート１０のの湾曲が矯正される方向に伸ばされる。したがって、反射シート１０の湾曲をより小さくすることができる。
【００７８】
鏡１の使用方法は通常のものと同様であり、例えば、使用者が反射面１０ａ側に位置した状態で、鏡１を見ることにより自分の姿を確認することができる。
そして、床などの水平面に鏡１を置くことにより、反射シート１０は縦長の状態で、反射面１０ａは水平面に対して垂直な面とすることができる。なお、枠部材１１の垂直枠２７と足部２８との接続部分を可動できるようにして、反射面１０ａを傾斜するようにしてもよい。
【００７９】
また、反射シート１０の反射面１０ａに傷が入ったり、破損するなどした場合には、枠部材１１をそのまま用い、反射シート１０を交換して使用することができる。
【００８０】
また、図９に示されるように、マーキング部材６０を用いることができる。マーキング部材６０は、図１０に示されるように、ひも部６１と２ヵ所以上の固定部６２を有するものである。固定部６２は、固定部６２に設けられた磁石６２ａによって鋼材である枠部材１１の任意の位置に固定することができ、ひも部６１は、反射シート１０の反射面１０ａ側の任意の位置に配置することができる。そして、使用者は、鏡１を見ながらスイングなどの動作を行い、ひも部６１を基準として使用者の動きを確認して、正しい動きをしているかどうかを確認することができる。また、ひも部６１はゴムひもである。
【００８１】
また、マーキング部材６０と枠部材１１との固定手段は、上記以外の方法を採用することができ、例えば、枠部材１１に溝を設けて、マーキング部材６０に当該溝を移動可能に固定できる部材を設けても良い。
【００８２】
なお、上記実施形態では、枠部材１１の垂直枠２７は長方形状であったが、他の形状であってもよい。
【図面の簡単な説明】
【００８３】
【図１】本発明の第１の実施形態の鏡を示す斜視図である。
【図２】シート側連結部が固定されている反射シートを示した斜視図である。
【図３】反射シートを取り付ける前の状態の、枠部材、取付手段及び反射シートを水平方向に切断した状態を示す断面図である。
【図４】反射シートの長辺付近を示した断面斜視図である。
【図５】連結した状態の枠部材と、押さえ部材を示した斜視図である。
【図６】連結していない状態の枠部材を示した斜視図である。
【図７】枠部材の連結部分を拡大した斜視図であり、（ａ）は連結していない状態を示した図であり、（ｂ）及び（ｃ）は連結した状態を示した図である。
【図８】押さえ部材を示した斜視図である。
【図９】マーキング部材を用いた状態の鏡の斜視図である。
【図１０】マーキング部材を示した斜視図である。
【図１１】従来の方法によって固定された反射シートの拡大断面図である。
【図１２】反射シートの湾曲状態を示す模式図であり、（ａ）は従来の方法で固定した図であり、（ｂ）は本発明の実施形態の鏡を示す図である。
【符号の説明】
【００８４】
１  鏡
１０  反射シート
１０ａ  反射面
１１  枠部材
１１ａ  第１枠部材
１１ｂ  第２枠部材
１２  押さえ部材
１３  取付手段
２３  透明樹脂層
２４  反射層
２５  保護樹脂層
３０ａ  第１取付面
３１ａ  第２取付面
３５  穴部
３６  挿入棒
４０  固定ネジ
４１  調整ネジ
４２  第１板部
４３  第２板部
４５  調整手段
５０  長辺
５１  長辺
６０  マーキング部材
６１  ひも部
６２  固定部
６２ａ  磁石
【図１】
2006116132.tif 000003
【図２】
2006116132.tif 000004
【図３】
2006116132.tif 000005
【図４】
2006116132.tif 000006
【図５】
2006116132.tif 000007
【図６】
2006116132.tif 000008
【図７】
2006116132.tif 000009
【図８】
2006116132.tif 000010
【図９】
2006116132.tif 000011
【図１０】
2006116132.tif 000012
【図１１】
2006116132.tif 000013
【図１２】
2006116132.tif 000014